(57)【特許請求の範囲】
【請求項１】
床材と、床材を支持する大引きと、上幕板部と下幕板部とを備え、床材は、押出材よりなる長尺材であり、大引き上に大引きの長手方向と交差する向きで配置してあり、上幕板部は床材の長手方向の端面又は側面を隠しており、下幕板部は上幕板部よりも下方で且つ上幕板部よりも奥側に配置されており、大引きの上幕板部の下縁より下方に位置する部分を隠していることを特徴とするデッキ。
【発明の詳細な説明】
【技術分野】
【０００１】
本発明は、住宅の庭等に設置されるデッキに関する。
【背景技術】
【０００２】
住宅の庭等に設置されるデッキは、床材の周囲を囲むように幕板を取付けてある。従来のものは、例えば非特許文献１に示すように、幕板（桁）が床材から大引きの側面に渡る幅広のものとなっており、例えば床に腰掛けたときに幕板の下部が足に当たるなど使い勝手が悪かったことから、幕板の見付寸法が大きくなく使い勝手のよいものが求められていた。
【先行技術文献】
【特許文献】
【０００３】
【非特許文献１】三協立山株式会社 三協アルミ社発行のカタログ「ウォールエクステリアカタログ」（カタログＮｏ．ＳＴＷ０３０９Ａ ＴＳ．１４．０４−９７５）、２０１４年４月、ｐ．５６２
【発明の概要】
【発明が解決しようとする課題】
【０００４】
本発明は以上に述べた実情に鑑み、幕板の見付寸法が大きくなく使い勝手のよいデッキの提供を目的とする。
【課題を解決するための手段】
【０００５】
上記の課題を達成するために請求項１記載の発明によるデッキは、床材と、床材を支持する大引きと、上幕板部と下幕板部とを備え、床材は、押出材よりなる長尺材であり、大引き上に大引きの長手方向と交差する向きで配置してあり、上幕板部は床材の長手方向の端面又は側面を隠しており、下幕板部は上幕板部よりも下方で且つ上幕板部よりも奥側に配置されており、大引きの上幕板部の下縁より下方に位置する部分を隠していることを特徴とする。
【発明の効果】
【０００６】
請求項１記載の発明によるデッキは、押出材よりなる長尺材の床材を、大引き上に大引きの長手方向と交差する向きで配置し、幕板を上幕板部と下幕板部とに分割し、上幕板部で床材の長手方向の端面又は側面を隠し、下幕板部を上幕板部よりも下方で且つ上幕板部よりも奥側に配置し、大引きの上幕板部の下縁より下方に位置する部分を隠したので、目につきやすい上幕板部の見付寸法を小さくでき、意匠性が良いと共に、デッキに腰掛けたときに上幕板部の下に足が入るので違和感なく腰掛けられるなど、使い勝手も良い。
【図面の簡単な説明】
【０００７】
【図１】図３のＡ−Ａ断面図である。
【図２】図１の前側を拡大して示す図である。
【図３】本発明のデッキの第１実施形態を示す平面図である。
【図４】第１実施形態のデッキの正面図である。
【図５】第１実施形態のデッキの前部左側のコーナー部を一部切り欠きして示す拡大正面図である。
【図６】第１実施形態のデッキの骨組み部分を模式的に示す斜視図である。
【図７】下幕板部の取付け方を示す縦断面図である。
【図８】上幕板部の取付け方を示す縦断面図である。
【図９】前面の下幕板部を照らす照明を取付けた状態を示す縦断面図である。
【図１０】側面の下幕板部を照らす照明を取付けた状態を示す縦断面図である。
【図１１】照明を点灯した状態を示す斜視図である。
【図１２】本発明のデッキの第２実施形態を示す縦断面図である。
【図１３】本発明のデッキの第３実施形態を示す斜視図である。
【図１４】本発明のデッキの第４実施形態を示す平面図である。
【発明を実施するための形態】
【０００８】
以下、本発明の実施の形態を図面に基づいて説明する。図１〜６は、本発明に係るデッキの第１実施形態であって、住宅の庭に設置されるデッキに適用した場合を示している。このデッキは、図１，３に示すように、後側の縁を建物の外壁１１に沿わせて設置され、建物のテラス窓からデッキに降りられるようにしている。本デッキは、図３，６に示すように、前後方向に間隔をおいて３本の大引き２ａ，２ｂ，２ｃを有し、大引き２ａ，２ｂ，２ｃの上に床材１，１，…を左右方向に並べて取付けてあり、左右両側と前側の三方の縁を囲むように幕板（上幕板部５及び下幕板部６）を取付けてある。
【０００９】
大引き２ａ，２ｂ，２ｃは、図１，２に示すように、略凸型断面の中空アルミ形材よりなり、下面に一対のフィン１２，１２を長手方向に沿って有している。中間の大引き２ｂと後側の大引き２ｃは、図３，６に示すように、それぞれ３本の束柱３ｂ，３ｃで支持されている。束柱３ｂ，３ｃは、略正方形断面のアルミ形材よりなり、図２に示すように、上端部を大引き２ｂ，２ｃの一対のフィン１２，１２間に挿入し、ネジ１３で固定してある。束柱３ｂ，３ｃの下端部は、図１に示すように、地面に埋め込んだ束石１４に金具１５で固定してある。大引き２ａ，２ｂ，２ｃは、図６中の矢印４７で示すように、前後方向に取付け位置を変更自在である。中間及び後側の大引き２ｂ，２ｃを支持している各束柱３ｂ，３ｃは、図６中の矢印１６に示すように、大引き２ｂ，２ｃの長手方向である左右方向に位置を移動することができる。また左右の束柱３ｂ，３ｃは、図３，４に示すように、デッキの左右の縁からかなり内側に入った位置に設置され、これによりデッキを横から見て束柱３ｂ，３ｃが見えにくくなっている。
【００１０】
前側の大引き２ａの下には、図２，５，６に示すように、３本の梁４が大引き２ａと交差するように左右方向に間隔をおいて設けてある。各梁４の後端部は、図２に示すように、中間の大引き２ｂのフィン１２の下に潜り込ませ、中間の大引き２ｂを支える束柱３ｂの前面に金具１７で固定してある。各梁４の前端部には、板状の金具１８ａを取付けて小口を塞いであり、前後の金具１８ａ，１８ｂで前側の大引き２ａと固定してある。
梁４は、略正方形断面のアルミ形材よりなり、下面に一対のフィン１９，１９を長手方向に沿って有している。各梁４は、長手方向の中間部を束柱３ａで支持してある。この束柱３ａは、上端部を梁４下面の一対のフィン１９，１９間に挿入してネジ２０で固定し、下端部を地面に埋め込んだ束石１４に金具１５で固定してある。各梁４を支える各束柱３ａは、図６中の矢印２１に示すように、梁４の長手方向に位置を変更できるようになっている。また、このように束柱３ａを梁４の下部に取付けたことで、図１に示すように、前側の大引き２ａに直接取付けた場合よりも束柱３ａを後方に移動させることができ、これによりデッキを前から見て束柱３ａが見えにくくなっている。
【００１１】
床材１は、木粉を混ぜた合成樹脂を押出成形したものであり、図５に示すように、中空部を有する板状に形成されている。床材１は、側部を金具２２で大引き２ａ，２ｂ，２ｃに押し付けて固定してあり、床材１同士の隙間には上方から目地部材２３を挿入して取付けている。
【００１２】
床材１の前端部には、図２，３に示すように、前面幕板取付金具２４が取付けられ、前面幕板取付金具２４に上幕板部５を取付けている。上幕板部５は、デッキの横幅全長にわたって設けられ、床材１の前面を隠しており、見付寸法（上下寸法）は床材１の厚みの２倍以下で（具体的には９０ｍｍ）、従来のデッキにおける床材と大引きにまたがるような幕板と比べて、見付寸法がかなり小さくなっている。前面幕板取付金具２４は、下部に上幕板部５の係止片２５が上方から係止する係止部２６を有している。上幕板部５は、溝部２７が長手方向に沿って設けてあり、溝部２７の底壁を前面幕板取付金具２４に前方からネジ２８で固定し、その後に溝部２７に目板２９を係合取付けして、ネジ２８を隠蔽している。
前側の大引き２ａの下面には、図２，３に示すように、下幕板取付金具３０が取付けてあり、その上方の大引き２ａの前面には、下幕板係止金具３１が取付けてある。そして、上幕板部５よりも下方で且つ上幕板部５よりも後方の位置に、下幕板部６が取付けてあり、下幕板部６により大引き２ａの下半分と梁４を隠している。下幕板部６は、上端部裏面側に係止片３２を、中間部に溝部３３を有し、係止片３２を下幕板係止金具３１に係止させた上で、溝部３３の底壁を下幕板取付金具３０に前方からネジ３４で固定し、その後に溝部３３に目板３５を係合取付けし、ネジ３４を隠蔽している。
下幕板部６は上幕板部５よりも約９０ｍｍ奥側に配置されている。上幕板部５の下縁と下幕板部６の上縁とは、ほぼ同じ高さ位置にある。
【００１３】
図３，５に示すように、デッキの左右の側面にも前面と同じように、上幕板部５と下幕板部６が上下２段に段違いで取付けてあり、上幕板部５で床材１の側面を隠し、下幕板部６で大引き２ａ，２ｂ，２ｃの下半分と梁４を隠している。上幕板部５と下幕板部６を取付けるために、大引き２ａ，２ｂ，２ｃの長手方向端部には、側面幕板取付金具３６が取付けてある。側面幕板取付金具３６は、大引き２ａ，２ｂ，２ｃの小口を塞ぐ小口塞ぎ部３７と、下幕板部６が係止する係止部３８と、床材１の大引き２ａ，２ｂ，２ｃからオーバーハングした部分を受ける床材受け部３９を有している。床材受け部の３９先端部には、上幕板部５を取付けるための上幕板取付金具４０がネジ４１で取付けてある。
側面の下幕板部６は、係止片３２を側面幕板取付金具３６の係止部３８に上方から係止させて仮置きした後、溝部３３の底壁をネジ３４で下幕板取付金具３０に固定し、溝部３３に目板３５を取付けてネジ３４を隠蔽している。側面の下幕板部６は、３本の大引き２ａ，２ｂ，２ｃの先端位置を前後方向に一直線に揃えるための根がらみを兼ねるものである。上幕板部５は、裏面に設けた係止片２５を上幕板取付金具４０の係止部２６に引っ掛けた上で、溝部２７の底壁を上幕板取付金具４０にネジ２８で固定し、溝部２７に目板２９を取付けてネジ２８を隠蔽している。
【００１４】
前面の上幕板部５と側面の上幕板部５とは、アルミ形材で形成した同一の部材であり、前面の下幕板部６と側面の下幕板部６とは、アルミ形材で形成した同一の部材である。前面の上幕板部５と側面の上幕板部５とのコーナー部、前面の下幕板部６と側面の下幕板部６とのコーナー部には、それぞれ樹脂製のコーナーキャップ４２，４３が取付けてある（図３，４参照）。各コーナーキャップ４２，４３は、上幕板部５と下幕板部６の溝部２７，３３内で上幕板部５と下幕板部６にネジ止めしてあり、溝部２７，３３に目板２９，３５を取付けることでネジを隠蔽してある。
【００１５】
次に、本デッキの施工手順を説明する。まず、所定の位置に束柱３ａ，３ｂ，３ｃを設置する。次に、束柱３ａ，３ｂ，３ｃに大引き２ａ，２ｂ，２ｃ及び梁４を架設する。次に、前面幕板取付金具２４、下幕板取付金具３０、下幕板係止金具３１、側面幕板取付金具３６を取付ける。次に、側面及び前面に下幕板部６を取付ける。このとき、図７に示すように、下幕板部６の係止片３２を金具の係止部３８に上方から係止させることで、下幕板部６を仮置きできるため、下幕板部６の取付けが一人でも容易に行える。次に、大引き２ａ，２ｂ，２ｃ上に床材１を取付ける。その後、側面及び前面に上幕板部５を取付ける。このとき、図８に示すように、上幕板部５の係止片２５を金具の係止部２６に上方から係止させることで、上幕板部５を仮置きできるため、上幕板部５の取付けが一人でも容易に行える。
【００１６】
以上に述べたように本デッキは、幕板を上幕板部５と下幕板部６とに分割し、下幕板部６を上幕板部５よりも下方で且つ上幕板部５よりも奥側に配置し、上幕板部５で床材１を隠し、下幕板部６で大引き２ａ，２ｂ，２ｃと梁４を隠したので、目につきやすい上幕板部５の見付寸法を小さくでき、意匠性が良いと共に、デッキに腰掛けたときに上幕板部５の下に足が入るので違和感なく腰掛けられるなど、使い勝手も良い。通常のウッドデッキ、人口木デッキは、前面及び側面に見付寸法の大きい幕板を有すると共に、コーナー部に束柱が露出するのに対して、本デッキは幕板を上下に分割して段違いに配置したこと、束柱３ａ，３ｂ，３ｃがデッキの前面及び側面よりかなり内側に入った位置にあり、束柱３ａ，３ｂ，３ｃが見えにくいことで、従来のウッドデッキ等には無い、舞台のような、地面から浮いているような、斬新な感覚を見る者に与える。
【００１７】
図９〜１０は、本デッキの応用例であって、前面及び側面の上幕板部５の奥側に下幕板部６を照らす照明具４４を取付けた場合を示している。照明具４４は、ＬＥＤを利用したものであり、床材１の下面に取付けたブラケット４５に下方から引っ掛けると共に、前方からネジ止めして取付けてある。このように、上幕板部５の奥側に照明具４４を設置し、照明具４４により下幕板部６を照らすことで、図１１に示すように、下幕板部６の影４６で束柱３ａ，３ｂ，３ｃがより一層見えにくくなるため、浮遊感をより強く演出することができる。また、上下幕板部５，６をアルミで形成したことで、浮遊感を高められる。
【００１８】
また、本デッキは、前側の大引き２ａの下に大引き２ａと交差する方向に梁４を設け、前側の束柱３ａは梁４の下部に取付けてあって、梁４の長手方向に位置を変更できるため、束柱３ａを大引き２ａと直交する方向に個別に移動させることができ、束柱３ａを障害物等を避けて設置したり、敷地の形状等に合わせて束柱３ａの位置を移動させたりするのが容易であり、従来の大引きを束柱と一緒に前後に移動させる方法と比べて、施工の自由度が高い。また、梁４の下部に束柱３ａを取付けることで、束柱３ａを後ろに設置できるため、束柱３ａを見えにくくできる。しかも、束柱３ａを後ろに移動させても大引き２ａは後に移動させなくてもよいため、束柱３ａを後ろに移動させても強度が落ちない。梁４は、前側の大引き２ａの下面と中間の大引き２ｂを支える束柱３ｂ間に架設してあることで、バランスよく荷重を受けることができる。さらに、梁４の後端部を中間の大引き２ｂの下に潜り込ませてあるので、梁４の転びを防止できる。さらに本デッキは、前側の束柱３ａが前後方向に個別に移動させられることに加え、各大引き２ａ，２ｂ，２ｃは前後方向に位置を変更自在であり、中間及び後側の大引き２ｂ，２ｃを支える束柱３ａ，３ｃは大引き２ａ，２ｂの長手方向（左右方向）に位置を変更自在であるため、施工の自由度がより向上している。
【００１９】
図１２は、本発明のデッキの第２実施形態を示している。本実施形態では、前側の大引き２ａの下面と中間の大引き２ｂの下面間に梁４を架設し、梁４の中間部を１本の束柱３ａで支持している。本実施形態によれば、束柱の本数を減らせるため、費用を抑えることができる。
【００２０】
図１３は、本発明のデッキの第３実施形態を示している。本実施形態は、梁４が床材１の長さの略全長に渡る長いものとなっており、３本の大引き２ａ，２ｂ，２ｃの下面に梁４を架設してある。束柱３ａ，３ｂは、全て梁４の下部に取付けてあって、梁４ごとに束柱３ａ，３ｂが２本ずつ設けられ、各束柱３ａ，３ｂが前後方向に位置を変更できるようになっている。本実施形態によれば、束柱の本数を減らして費用を抑えられると共に、全ての束柱３ａ，３ｂが前後方向に位置を移動できるため、施工の自由度が高い。
【００２１】
図１４は、本発明のデッキの第４実施形態を示している。本実施形態は、床材１，１，…の前部が後部と非平行となるように斜めにカットされて連続しており、上下幕板部５，６及び前側の大引き２ａがこれと同様に斜めに配置されている。梁４は、第１実施携帯と同様に、前側の大引き２ａの下面と中間の大引き２ｂを支える束柱３ｂの前面間に架設され、梁４の下部に束柱３ａが取付けてある。このように本発明のデッキは、敷地の形状等に合わせて台形状に施工することもできる。
【００２２】
本発明は以上に述べた実施形態に限定されない。床材や上下幕板部、梁、大引き、束柱等の各部材の材質、断面形状等は、適宜変更することができる。床の骨組みとなる大引き、梁、束柱の組み合わせ方は任意であり、例えば梁を左右方向に架設し、束柱を左右方向に位置を変更できるようにすることもできる。また、梁を有しないものであってもよい。本発明のデッキの用途は、特に限定されるものではない。
【符号の説明】
【００２３】
１  床材
２ａ，２ｂ，２ｃ  大引き
３ａ，３ｂ，３ｃ  束柱
４  梁
５  上幕板部
６  下幕板部
４４  照明具
【図１】
0006411427.tif 000002
【図２】
0006411427.tif 000003
【図３】
0006411427.tif 000004
【図４】
0006411427.tif 000005
【図５】
0006411427.tif 000006
【図６】
0006411427.tif 000007
【図７】
0006411427.tif 000008
【図８】
0006411427.tif 000009
【図９】
0006411427.tif 000010
【図１０】
0006411427.tif 000011
【図１１】
0006411427.tif 000012
【図１２】
0006411427.tif 000013
【図１３】
0006411427.tif 000014
【図１４】
0006411427.tif 000015